(57)【要約】【課題】チルト制御が可能な光ピックアップにおいて、マグネットの着磁パターンと、フォーカスコイル、トラッキングコイル、チルトコイルの配置を工夫して、部品数を少なくし、小型化を図り、応答性を高める。【解決手段】対をなすマグネット２９ａ，２９ｂは、フォーカス方向の分極着磁とトラッキング方向の分極着磁を隣接して有することによりフォーカス駆動用着磁とトラッキング駆動用着磁の同極が連続し、フォーカスコイルとチルトコイルは２組あり、各組のフォーカスコイル２３ａ，２３ｂとチルトコイル２５ａ，２５ｂは、対をなすマグネット２９ａ，２９ｂにそれぞれ対応させて配置されると共に互いに重なり合いかつフォーカス駆動用着磁の分極境界をまたいでレンズホルダ２１に配置され、チルトコイル２５ａ，２５ｂ同士は、レンズホルダの傾きを調整するために互いに逆向きの推力を発生するように接続されている。【選択図】図１
2006024277.tif 000002
【特許請求の範囲】
【請求項１】
ベースにより一体的に支持されているマグネットと、
記録媒体としてのディスクの記録トラックに光束を収束させる対物レンズと、
上記対物レンズを保持するレンズホルダと、
上記ベースに対して上記レンズホルダを移動可能に支持する弾性支持体と、
上記マグネットとの間に間隙をおき対向して上記レンズホルダに配置され上記レンズホルダを対物レンズの光軸方向に駆動するためのフォーカスコイルと、
上記マグネットとの間に間隙をおき対向して上記レンズホルダに配置され上記レンズホルダを上記ディスクの半径方向にかつディスク面と平行に駆動するためのトラッキングコイルと、を有し、
上記マグネットは、上記レンズホルダの互いに反対側の面に対向させて対をなして配置され、
対をなす上記マグネットは、フォーカス方向の分極着磁とトラッキング方向の分極着磁を隣接して有することによりフォーカス駆動用着磁とトラッキング駆動用着磁の同極が連続しており、
フォーカスコイルは２組あり、各組のフォーカスコイルは、上記対をなすマグネットにそれぞれ対応させかつフォーカス駆動用着磁の分極境界をまたいで上記レンズホルダに配置されていることを特徴とする光ピックアップ。
【請求項２】
ベースにより一体的に支持されているマグネットと、
記録媒体としてのディスクの記録トラックに光束を収束させる対物レンズと、
上記対物レンズを保持するレンズホルダと、
上記ベースに対して上記レンズホルダを移動可能に支持する弾性支持体と、
上記マグネットとの間に間隙をおき対向して上記レンズホルダに配置され上記レンズホルダを対物レンズの光軸方向に駆動するためのフォーカスコイルと、
上記マグネットとの間に間隙をおき対向して上記レンズホルダに配置され上記レンズホルダを上記ディスクの半径方向にかつディスク面と平行に駆動するためのトラッキングコイルと、
上記マグネットとの間に間隙をおき対向して上記レンズホルダに配置され上記レンズホルダを上記ディスクの面に対し直交する方向でありかつ上記ディスクの半径方向の線を含む面内での傾きを調整するためのチルトコイルと、を有し、
上記マグネットは、上記レンズホルダの互いに反対側の面に対向させて対をなして配置され、
対をなす上記マグネットは、フォーカス方向の分極着磁とトラッキング方向の分極着磁を隣接して有することによりフォーカス駆動用着磁とトラッキング駆動用着磁の同極が連続しており、
フォーカスコイルとチルトコイルは２組あり、各組のフォーカスコイルとチルトコイルは、上記対をなすマグネットにそれぞれ対応させて配置されると共に互いに重なり合いかつフォーカス駆動用着磁の分極境界をまたいで上記レンズホルダに配置され、
チルトコイル同士は、レンズホルダの上記傾きを調整するために互いに逆向きの推力を発生するように接続されていることを特徴とする光ピックアップ。
【請求項３】
マグネットは、一体のマグネットにフォーカス駆動用着磁とトラッキング駆動用着磁がなされている請求項１または２記載の光ピックアップ。
【請求項４】
マグネットは、フォーカス方向の分極着磁がなされたフォーカス駆動用マグネットとトラッキング方向の分極着磁がなされたトラッキング駆動用マグネットからなり、フォーカス駆動用マグネットとトラッキング駆動用マグネットが隣接して配置されている請求項１または２記載の光ピックアップ。
【請求項５】
フォーカスコイルとチルトコイルは、共に扁平形の空芯コイルからなる請求項２記載の光ピックアップ。
【請求項６】
フォーカスコイルよりもチルトコイルの外形が小さい請求項５記載の光ピックアップ。
【請求項７】
フォーカスコイル、トラッキングコイル、チルトコイルのすべて又は一部は、フラットプリントコイルからなる請求項２記載の光ピックアップ。
【発明の詳細な説明】
【技術分野】
【０００１】
本発明は、情報信号を光学的に記録／再生する装置に用いられる光ピックアップに関するもので、特に、チルト調整が可能な光ピックアップとしても、チルト調整のない光ピックアップとしても構成可能であって、容易に仕様変更可能な光ピックアップに関するものである。本発明は、例えば、ＣＤ、ＣＤ−Ｒ、ＣＤ−Ｒ／Ｗ、ＤＶＤ、ＤＶＤ−Ｒ、ＤＶＤ−Ｒ／Ｗなどのドライブ装置などに適用可能である。
【背景技術】
【０００２】
近年、光ディスクを記録媒体とした情報信号の記録再生装置分野の技術進歩は目覚しいものがあり、現在は、ハイビジョンに対応することができ、あるいはデジタル放送を目指した光ディスク装置が求められている。これに対応するために、光ディスク装置は、転送レートのさらなる高速化、記憶能力の大容量化を併せ持つものに進展してきている。これに伴い、光ディスク装置に用いられる光ピックアップ、さらにはその対物レンズアクチュエータも、より高い動作性能を持つものに進化してきている。以下、従来の光ピックアップの例について、図８、図９を参照しながら説明する。
【０００３】
図８、図９において、磁性体からなるほぼ四角形のアクチュエータベース（以下、単に「ベース」という）１７は、互いに反対側に位置する２辺が直角に折り曲げられて一対のヨーク辺１７ａ、１７ｂが形成されていて、一対のヨーク辺１７ａ、１７ｂの相対向する面には対をなすマグネット１８ａ、１８ｂが接着などによって固定されている。各マグネット１８ａ、１８ｂは４つに等分された形で４分極着磁がなされている。ベース１７には、ヨーク辺１７ｂの外側面側にゲルホルダ１９が固定されている。ゲルホルダ１９の両端部からは、ヨーク辺１７ｂとマグネット１８ｂの両側を挟むようにして、しかし、ヨーク辺１７ｂとマグネット１８ｂから適宜の間隔をおいて２本一対のワイヤ１６ａ、１６ｂと、別の２本一対のワイヤ１６ｃ、１６ｄが相互に平行に、水平方向に伸び出ている。ゲルホルダ１９の背面にはプリント回路基板１１０が固定され、回路基板１１０の回路パターンと上記各ワイヤが電気的に接続されている。上記２対のワイヤの先端部はそれぞれ回路基板１５ａ、１５ｂの介在のもとにレンズホルダ１１の対をなす側面に連結されている。より具体的には、一対のワイヤ１６ａ、１６ｂは回路基板１５ａの介在のもとにレンズホルダ１１の一側面に、他の一対のワイヤ１６ｃ、１６ｄは回路基板１５ｂの介在のもとにレンズホルダ１１の他方の一側面に連結されている。上記各ワイヤは、後述のフォーカス制御、トラッキング制御時にレンズホルダ１１を平行移動させるための支持体として機能するとともに、駆動コイルを通電制御するための導電路としても機能している。上記ゲルホルダ１９内には、ゲル状の材料が封入されていて、上記各ワイヤを通じてレンズホルダ１１に伝達されようとする振動を吸収するダンパとして機能するようになっている。
【０００４】
レンズホルダ１１は、直方体状の部材で、中央部を上下方向に貫いて形成された円筒形の孔には対物レンズ１２が嵌められて固定されている。レンズホルダ１１の短辺をなす一対の側面に上記回路基板１５ａ、１５ｂが固着され、上記各ワイヤ１６ａ〜１６ｄによって支持されている。レンズホルダ１１の長辺をなす一対の側面には、それぞれ二つのフォーカスコイル１３ａ，１３ｂと、１３ｃ，１３ｄが固着されている。対をなすフォーカスコイル１３ａ，１３ｂの上には二つのトラッキングコイル１４ａ，１４ｂが、対をなすフォーカスコイル１３ｃ，１３ｄの上には二つのトラッキングコイル１４ｃ，１４ｄが固着されている。各フォーカスコイルと各トラッキングコイルは扁平な角型の空芯コイルで、対をなすフォーカスコイル１３ａ，１３ｂ横に並べて配置され、同じく対をなすフォーカスコイル１３ｃ，１３ｄも横に並べて配置されている。対をなすトラッキングコイル１４ａ，１４ｂは上下に並べて固着され、同じく対をなすトラッキングコイル１４ｃ，１４ｄも上下に並べて固着されている。
【０００５】
前記各マグネット１８ａ、１８ｂは、磁極が上下左右方向に２個ずつ同じ大きさに４分極着磁されている。この対をなすマグネット１８ａ、１８ｂの間に、対物レンズ１２および上記各コイルを一体に有するレンズホルダ１１が位置し、トラッキングコイル１４ａ，１４ｂがマグネット１８ａと、その間に適宜の間隙をおいて対向しており、トラッキングコイル１４ｃ，１４ｄがマグネット１８ｂと、その間に適宜の間隙をおいて対向している。各フォーカスコイルは、その上下方向の2辺がマグネット18ａ、18ｂのフォーカス駆動用着磁の分極境界、すなわち上下に並ぶ磁極間の水平方向の境界をまたいで配置されている。一方、各トラッキングコイルは、その水平方向の2辺がマグネット18ａ、18ｂのトラッキング駆動用着磁の分極境界、すなわち横方向に並ぶ磁極間の上下方向の境界をまたいで配置されている。
【０００６】
このように構成された光ピックアップないしは対物レンズアクチュエータにおいて、フォーカスコイル１３ａ〜１３ｄに通電されると、フォーカスコイル１３ａ〜１３ｄの上下２辺に、マグネット１８ａ、１８ｂで形成される磁界との協働によって上下方向の推力が発生し、対物レンズ１２とともにレンズホルダ１１が上下方向に移動する。そこで、対物レンズ１２を通る光束が、図示されない記録媒体としてのディスクの記録トラック上に収束されるように、フォーカスコイル１３ａ〜１３ｄへの通電を制御すれば、フォーカス制御が行われることになる。また、トラッキングコイル１４ａ〜１４ｄに通電されると、トラッキングコイル１４ａ〜１４ｄの左右の２辺に、マグネット１８ａ、１８ｂで形成される磁界との協働によって左右方向の推力が発生し、対物レンズ１２とともにレンズホルダ１１が左右方向に移動する。そこで、対物レンズ１２による光束の収束位置が、上記ディスクの所定のトラック位置となるように、トラッキングコイル１４ａ〜１４ｄへの通電を制御すれば、トラッキング制御が行われることになる。
【０００７】
前にも述べたように、近年の光ディスク装置は、転送レートのいっそうの高速化、記憶能力の大容量化を併せ持つものに進展してきており、これに伴い、光ディスク装置に用いられる光ピックアップ、さらにはその対物レンズアクチュエータも、より高い動作性能が要求される。より高い動作性能を満たすためのひとつの手段として、ディスク面の傾きに対応させるために、対物レンズのラジアル方向の姿勢を制御する手段を付加することが提案されている。すなわち、図８、図９に示すような従来例では、対物レンズ１２をフォーカス方向とトラッキング方向の２方向に制御する２軸制御になっていたが、これに、記録媒体としてのディスク面の傾きに応じて対物レンズ面を正対させるために、対物レンズ１２のディスク半径方向の姿勢を制御するチルト制御手段を加えた３軸制御の光ピックアップが提案されている（例えば、特許文献１、特許文献２参照）。
【０００８】
光ピックアップに、フォーカス制御とトラッキング制御のほかにチルト制御を付加する場合、単純にチルト制御用のマグネットとコイルを付加するというだけでは、部品数の増大、大型化、応答性の悪化などの問題を生じる。そこで、特許文献１、特許文献２記載の発明では、これらの問題が生じないように、独自の工夫を行っている。
【０００９】
【特許文献１】特開２００４−１０３０８６号広報
【特許文献２】特開２００４−１３９６４２号広報
【発明の開示】
【発明が解決しようとする課題】
【００１０】
チルト制御を付加した従来の光ピックアップは、上記のように、問題点の解決のために工夫がなされているが、部品数の増大、大型化などの問題を解決するには十分でなく、まだ改良の余地がある。
本発明は、かかる従来技術の問題点を解消するためになされたもので、ブルー・レイやＡＯＤといった次世代ディスクに対応可能で、高倍速、高密度記録に適した動作性能を得るために、チルト制御を可能とした光ピックアップであって、マグネットの着磁パターンを工夫するとともに、フォーカスコイル、トラッキングコイル、チルトコイルの配置を工夫することにより、部品数が少なく、小型化が可能で、応答性に優れた光ピックアップを得ることを目的とする。
【００１１】
本発明はまた、チルト制御を可能とした光ピックアップとして構成することができるとともに、チルト制御が不要な光ピックアップとしても構成することができるようにして、仕様変更がきわめて簡単な光ピックアップを得ることを目的とする。
【課題を解決するための手段】
【００１２】
本発明は、マグネットとの間に間隔をおいて対向し、対物レンズを保持するレンズホルダを、フォーカス方向に駆動するフォーカスコイル、トラッキング方向に駆動するトラッキングコイルを有するとともに、上記マグネットとの間に間隙をおき対向してレンズホルダに配置されレンズホルダをディスクの面に対し直交する方向でありかつディスクの半径方向の線を含む面内での傾きを調整するためのチルトコイルを有し、上記マグネットは、上記レンズホルダの互いに反対側の面に対向させて対をなして配置され、この対をなすマグネットは、フォーカス方向の分極着磁とトラッキング方向の分極着磁を隣接して有することによりフォーカス駆動用着磁とトラッキング駆動用着磁の同極が連続しており、フォーカスコイルとチルトコイルは２組あり、各組のフォーカスコイルとチルトコイルは、上記対をなすマグネットにそれぞれ対応させて配置されると共に互いに重なり合いかつフォーカス駆動用着磁の分極境界をまたいで上記レンズホルダに配置され、チルトコイル同士は、レンズホルダの上記傾きを調整するために互いに逆向きの推力を発生するように接続されていることを最も主要な特徴とする。
【発明の効果】
【００１３】
対をなすマグネットは独特のパターンで着磁され、２組のフォーカスコイルとチルトコイルは、上記対をなすマグネットにそれぞれ対応させて配置されると共に互いに重なり合いかつフォーカス駆動用着磁の分極境界をまたいで上記レンズホルダに配置され、チルトコイル同士は、レンズホルダの上記傾きを調整するために互いに逆向きの推力を発生するように接続されているため、上記２組のフォーカスコイルとチルトコイルのほかに対をなすトラッキングコイルがあればよく、コイルは全部で６個あれば、フォーカス制御、トラッキング制御のほかにチルト制御も可能である。この点、従来のチルト制御も可能な光ピックアップによれば、コイルは全部で８個あるいはそれ以上必要であるから、本発明によれば、部品数が少なく、その分小型化が可能であり、応答性に優れ、また、組立作業性に優れた光ピックアップを低コストで提供することができる。
【００１４】
チルト制御が不要な場合、チルトコイルを省略するだけでよく、マグネットの分極着磁パターンを変更する必要はないから、チルト制御が可能な光ピックアップまたはチルト制御不要の光ピックアップに、容易に仕様変更することができる。
【発明を実施するための最良の形態】
【００１５】
以下、本発明にかかる光ピックアップの実施例を、図を参照しながら説明する。図１ないし図４において、磁性体からなるほぼ四角形のアクチュエータベース（以下、単に「ベース」という）２８は、互いに反対側の２辺が直角に折り曲げられて一対のヨーク辺２８ａ、２８ｂが形成されていて、一対のヨーク辺２８ａ、２８ｂの相対向する面にはそれぞれマグネット２９ａ、２９ｂが接着などによって固定されている。各マグネット２９ａ、２９ｂは、見かけ上は３分極着磁がなされている。
【００１６】
上記各マグネット２９ａ、２９ｂの着磁パターンは、より詳細にはフォーカス駆動用の分極着磁とトラッキング駆動用の分極着磁を隣接して有している。フォーカス駆動用の分極着磁はＮ極とＳ極が上下に配置されるように行われ、分極境界が横（左右）方向に存在している。トラッキング駆動用の分極着磁はＮ極とＳ極が左右に配置されるように行われ、分極境界が縦（上下）方向に存在している。フォーカス駆動用の分極着磁はトラッキング駆動用の分極着磁よりも大きな面積を占めている。フォーカス駆動用の分極着磁とトラッキング駆動用の分極着磁は隣接しているため、フォーカス駆動用の分極着磁とトラッキング駆動用の分極着磁の同極が境目なく、Ｌ字状に連続している。このＬ字の２辺に接してフォーカス駆動用の分極着磁の異極が存在し、上記Ｌ字の縦方向の辺の外側面に接してトラッキング駆動用の分極着磁の異極が存在している。各マグネット２９ａ、２９ｂは、一つの直方体状のマグネット材料を上記のパターンで着磁したものであってもよいし、分極境界が横（左右）方向に存在しているフォーカス駆動用マグネットと、分極境界が縦（上下）方向に存在しているトラッキング駆動用マグネットを、一体的に結合したものであってもよい。後者の場合でも、フォーカス駆動用マグネットとトラッキング駆動用マグネットの同極が実質的に連続し、上記のように、見かけ上３分極着磁がなされているのと同じ着磁パターンになる。
【００１７】
上記のように、フォーカス駆動用の分極着磁面積をトラッキング駆動用の分極着磁面積よりも大きくしたのは、フォーカス駆動時の推力をトラッキング駆動時の推力より大きくするためである。設計によっては、トラッキング駆動時の推力をフォーカス駆動時の推力よりも大きくするために、トラッキング駆動用の分極着磁面積をフォーカス駆動用の分極着磁面積よりも大きくすることもありえる。
【００１８】
ベース２８には、ヨーク辺２８ｂの外側面側にゲルホルダ２１０が固定されている。ゲルホルダ２１０の長さ方向両端部側面からは、ヨーク辺２８ｂとマグネット２９ｂの両側を挟むようにして、しかし、ヨーク辺２８ｂとマグネット２９ｂから適宜の間隔をおいて３本一対のワイヤ２７ａ、２７ｂ、２７ｃと、別の３本一対のワイヤ２７ｄ、２７ｅ、２７ｆが相互に平行に、水平方向に伸び出ている。各ワイヤ２７ａ〜２７ｆは、ベースに対して後述のレンズホルダ２１を移動可能に支持する弾性支持体として機能する。ゲルホルダ２１０の背面にはプリント回路基板２１１が固定され、回路基板２１１の回路パターンと上記各ワイヤが電気的に接続されている。３本を一対とする上記２対のワイヤの先端部はそれぞれフレキシブル回路基板２６ａ、２６ｂの介在のもとにレンズホルダ２１の対をなす側面に連結されている。より具体的には、一対のワイヤ２７ａ、２７ｂ、２７ｃは回路基板２６ａの介在のもとにレンズホルダ２１の一側面に、他の一対のワイヤ２７ｄ、２７ｅ、２７ｆは回路基板２６ｂの介在のもとにレンズホルダ２１の他方の一側面に連結されている。上記各ワイヤは、後述のフォーカス制御、トラッキング制御、チルト制御時に、レンズホルダ２１をフォーカス方向、トラッキング方向、チルト方向に移動させるための支持体として機能するとともに、駆動コイルを通電制御するための導電路としても機能している。また、上記各ワイヤは、上記各コイルに通電されないときにレンズホルダ２１を原点まで復帰させるための弾性力を有している。ゲルホルダ２１０は、前述のように、レンズホルダ２１の振動を防止するダンパとして機能する。
【００１９】
レンズホルダ２１は、直方体状の部材で、中央部を上下方向に貫いて形成された円筒形の孔には対物レンズ２２が嵌められて固定されている。レンズホルダ２１の短辺をなす一対の側面に上記回路基板２６ａ、２６ｂが固着され、上記各ワイヤ２７ａ〜２７ｆによって支持されている。回路基板２６ａ、２６ｂはプリント配線基板であってもよいし、フレキシブル配線基板であってもよい。レンズホルダ２１の長辺をなす一対の側面には、それぞれ一つのチルトコイル２５ａ、２５ｂと、フォーカスコイル２３ａ、２３ｂと、トラッキングコイル２４ａ，２４ｂが固着されている。各チルトコイル、各フォーカスコイル、各トラッキングコイルは扁平な角型の空芯コイルで、フォーカスコイル２３ａ、２３ｂが最も大きく、有効長を大きくしてフォーカス方向の駆動感度を大きくするために横長になっている。トラッキングコイル２４ａ，２４ｂは有効長を大きくしてトラッキング方向の駆動感度を大きくするために縦長で、縦方向の長さがフォーカスコイル２３ａ、２３ｂの縦方向（短辺方向）の長さとほぼ同じになっている。チルトコイル２５ａ、２５ｂは正方形に近い形をしており、縦横の寸法はともにフォーカスコイル２３ａ、２３ｂの縦横の寸法よりも小さくなっている。チルトコイル２５ａ、２５ｂは、求められる感度（発生する推力）が大きくないことから、軽量化のために小さくしている。軽量化によって慣性モーメントを小さくすることができ、フォーカス、トラッキング、チルトの各制御に対する応答性を高めることができる。各コイルの厚さ寸法は、トラッキングコイル２４ａ，２４ｂが最も大きく、以下、フォーカスコイル２３ａ、２３ｂ、チルトコイル２５ａ、２５ｂの順に薄くなっている。また、トラッキングコイルの厚さ寸法は、フォーカスコイルとチルトコイルの厚さ寸法を合わせた寸法とほぼ同じになっている。
【００２０】
なお、フォーカスコイル２３ａ、２３ｂ、トラッキングコイル２４ａ，２４ｂ、チルトコイル２５ａ、２５ｂのすべて又は一部を、１層又は複数層のフラットプリントコイルで構成してもよい。また、図示の実施例では、上記各コイルは角型になっているが、丸型のコイルであってもよい。
【００２１】
図５、図６にも示すように、チルトコイル２５ａ、トラッキングコイル２４ａ、フォーカスコイル２３ａがレンズホルダ２１の一側面に固着され、チルトコイル２５ｂ、トラッキングコイル２４ｂ、フォーカスコイル２３ｂがレンズホルダ２１の反対側の一側面に固着されている。チルトコイル２５ａ、２５ｂは対をなすマグネット２９ａ、２９ｂにそれぞれ対応させ、マグネット２９ａ、２９ｂとの間に間隙をおいて、かつ、マグネット２９ａ、２９のフォーカス駆動用着磁の分極境界をまたいで配置されている。トラッキングコイル２４ａ，２４ｂは対をなすマグネット２９ａ、２９ｂにそれぞれ対応させ、マグネット２９ａ、２９ｂとの間に間隙をおいて、かつ、マグネット２９ａ、２９のトラッキング駆動用着磁の分極境界をまたいで、長さ方向を上下方向に向けて配置されている。フォーカスコイル２３ａ、２３ｂはそれぞれチルトコイル２５ａ、２５ｂの上に重ね合わせて固着されている。また、フォーカスコイル２３ａ、２３ｂは対をなすマグネット２９ａ、２９ｂにそれぞれ対応させ、マグネット２９ａ、２９ｂとの間に間隙をおいて、かつ、マグネット２９ａ、２９のフォーカス駆動用着磁の分極境界をまたいで、長さ方向を横（左右）方向に向けて配置されている。フォーカスコイル２３ａ、２３ｂとトラッキングコイル２４ａ，２４ｂは横方向に隣接して配置されている。
【００２２】
図５、図６の（ｂ）は、上記各コイル、対物レンズ２２などを一体に有するレンズホルダ３２の底面図で、図５、図６の（ａ）は、図５、図６（ｂ）の底面図における上面側をそのまま折り曲げて展開した形で示す側面図、図５、図６の（ｃ）は、上記（ｂ）の底面図における下面側をそのまま折り曲げて展開した形で示す側面図である。レンズホルダ２１の一側面のフォーカスコイル２３ａと他方の側面のフォーカスコイル２３ｂは、対物レンズ２２の光軸を中心に軸対称に配置されている。同様に、レンズホルダ２１の一側面のトラッキングコイル２４ａと他方の側面のトラッキングコイル２４ｂも対物レンズ２２の光軸を中心に軸対称に配置され、レンズホルダ２１の一側面のチルトコイル２５ａと他方の側面のチルトコイル２５ｂも対物レンズ２２の光軸を中心に軸対称に配置されている。固定部および磁気回路を構成する一対のマグネット２９ａ、２９ｂは、上記各コイルの４辺のうち２辺に流れる電流を、可動部としてのレンズホルダ２１をフォーカス方向、トラッキング方向、チルト方向（ラジアル回転方向）に駆動するのに必要な推力を発生するように、前述のようなパターンで着磁されている。
【００２３】
なお、図示の実施例はフォーカス制御、トラッキング制御のほかにチルト制御も可能な光ピックアップとして構成されているが、チルト制御が不要な光ピックアップであれば、チルトコイル２５ａ、２５ｂを省略し、前記ワイヤも２本を省略して、例えば、一方のワイヤ対をワイヤ２７ａ、２７ｃとし、他方のワイヤ対をワイヤ２７ｄ、２７ｆとするだけで対応することができる。マグネット２９ａ、２９ｂの着磁パターンを変える必要はないから、設計変更をしなくても仕様変更に柔軟に対応することができる。このように、図示の実施例は、チルト制御も可能な光ピックアップとして構成することも、チルト制御が不要な光ピックアップとして構成することも容易であるが、それは、マグネット２９ａ、２９ｂが、フォーカス方向の分極着磁とトラッキング方向の分極着磁を隣接して有することによりフォーカス駆動用着磁とトラッキング駆動用着磁の同極が連続しているという、独特の分極着磁パターンになっていることによるものである。
【００２４】
一対のフォーカスコイル２３ａ、２３ｂは直列又は並列に接続され、互いに対物レンズ２２の光軸を中心に１８０度回転させた位置に配置されている。同様に、トラッキングコイル２４ａ，２４ｂも直列又は並列に接続され、互いに対物レンズ２２の光軸を中心に１８０度回転させた位置に配置されている。チルトコイル２５ａ、２５ｂも直列又は並列に接続され、互いに対物レンズ２２の光軸を中心に１８０度回転させた位置に配置されている。また、これらのコイルは、その中心が、レンズホルダ２１を主体とする可動部のフォーカス方向（対物レンズ光軸方向）の質量重心位置と合致するようにまたは質量重心の近傍に位置するように配置されている。
【００２５】
マグネット２９ａ、２９ｂにより形成される磁気回路構成と各コイルとの対応関係をより具体的に説明すると以下のようになる。図５（ａ）に示すように、一側面側のフォーカスコイル２３ａに対向するマグネット２９ａはフォーカスコイル２３ａの空芯部に対応する位置でトラッキング方向（図５（ａ）において横（左右）方向）に分極着磁されている。換言すれば、フォーカスコイル２３ａの上半分Ｆ１ａと下半分Ｆ１ｂで磁極が反転するように分極している。トラッキングコイル２４ａに対向するマグネット２９ａはその空芯部に対応する位置でフォーカス方向（図５において縦（上下）方向）に分極着磁されている。換言すれば、トラッキングコイル２４ａの右半分Ｔ１ａと左半分Ｔ１ｂで磁極が反転するように分極している。トラッキングコイル２４ａの右半分Ｔ１ａに対向する磁極と、フォーカスコイル２３ａに対向し、その上半分Ｆ１ａと下半分Ｆ１ｂに対向して分極着磁された磁極のうちいずれか一方の磁極とが同極となるため、マグネット２９ａは前述のように３つに分極された磁気回路を構成している。
【００２６】
マグネット２９ａと対をなして反対側に配置されたマグネット２９ｂも同様の磁気回路を構成している。すなわち、図５（ｂ）に示すように、フォーカスコイル２３ｂに対向するマグネット２９ｂはフォーカスコイル２３ｂの空芯部に対応する位置でトラッキング方向（図５（ｂ）において横（左右）方向）に分極着磁されている。換言すれば、フォーカスコイル２３ｂの上半分Ｆ２ａと下半分Ｆ２ｂで磁極が反転するように分極している。トラッキングコイル２４ｂに対向するマグネット２９ｂはその空芯部に対応する位置でフォーカス方向（図５において縦（上下）方向）に分極着磁されている。換言すれば、トラッキングコイル２４ｂの右半分Ｔ２ａと左半分Ｔ２ｂで磁極が反転するように分極している。トラッキングコイル２４ｂの右半分Ｔ２ａに対向する磁極と、フォーカスコイル２３ｂに対向し、その上半分Ｆ２ａと下半分Ｆ２ｂに対向して分極着磁された磁極のうちいずれか一方の磁極とが同極となるため、マグネット２９ｂは前述のように３つに分極された磁気回路を構成している。
【００２７】
一方のフォーカスコイル２３ａと他方のフォーカスコイル２３ｂは、それぞれのコイルに通電することよって発生するフォーカス方向の推力の向きが一致するように配線されている。フォーカスコイル２３ａ、２３ｂの長辺に流れる電流とフォーカス駆動用着磁によって形成される磁界との電磁作用によってフォーカス方向の推力が発生する。図５には、フォーカスコイル２３ａ、２３ｂに流す電流の向きの例を長い矢印で示し、この電流によって発生する推力の向きを小さな矢印で示している。
【００２８】
一方のトラッキングコイル２４ａと他方のトラッキングコイル２４ｂは、それぞれのコイルに通電することよって発生するトラッキング方向の推力の向きが一致するように配線されている。トラッキングコイル２４ａ、２４ｂの長辺に流れる電流とフォーカス駆動用着磁によって形成される磁界との電磁作用によってトラッキング方向の推力が発生する。図５には、トラッキングコイル２４ａ、２４ｂに流す電流の向きの例を長い矢印で示し、この電流によって発生する推力の向きを小さな矢印で示している。
【００２９】
対をなすチルトコイル２５ａ、２５ｂ同士は、レンズホルダ２１を記録媒体としてのディスクの面に対し直交する方向でありかつ上記ディスクの半径方向の線を含む面内で傾ける方向の推力を発生するように接続されている。図６はチルトコイル２５ａ、２５ｂによって発生する推力の例を示している。チルトコイル２５ａ、２５ｂはフォーカスコイル２３ａ、２３ｂと重なり合って配置され、フォーカスコイル２３ａ、２３ｂと同様に、フォーカス駆動用着磁の分極境界をまたいでレンズホルダ２１に配置されているため、通電されることによってチルトコイル２５ａの上半分Ｒ１ａと下半分Ｒ１ｂでフォーカス方向の推力を発生し、チルトコイル２５ｂの上半分Ｒ２ａと下半分Ｒ２ｂでフォーカス方向の推力を発生する。ただし、チルトコイル２５ａで発生する推力の向きとチルトコイル２５ｂで発生する推力の向きは互いに逆向きになるように、チルトコイル２５ａ、２５ｂ同士が直列又は並列に接続されている。したがって、チルトコイル２５ａ、２５ｂにチルト制御のための電流を流すと、レンズホルダ２１をディスクの面に対し直交する方向でありかつ上記ディスクの半径方向の線を含む面内で傾かせることができる。対物レンズ２２によって収束されるディスクの記録トラック位置あるいは光ピックアップ位置においてディスクのラジアル回転方向の傾きをリアルタイムで検出し、この検出信号に応じてチルトコイル２５ａ、２５ｂへの通電を制御すれば、光ピックアップをディスクの記録面に常時正対させることができ、記録媒体としてのディスクに、高精度でかつ高密度に情報信号を記録することができ、高密度に記録された情報信号を高い倍速で高精度に読み取ることができる。
【産業上の利用可能性】
【００３０】
以上説明したとおり、本発明にかかる光ピックアップによれば、フォーカス制御、トラッキング制御のほかにチルト制御を可能として、高倍速、高密度の記録および読取を可能としたものにおいて、マグネットの着磁パターンに工夫を加え、この独特の着磁パターンに合わせてフォーカスコイル、トラッキングコイル、チルトコイルの配置を工夫したことにより、コイルの総数を減らすことができ、これら各コイル、対物レンズ、レンズホルダを含む可動部の小型化が可能であることから、動作性能に優れた光ピックアップを提供することができる。
【００３１】
また、本発明によれば、チルトコイルを省略するだけで、あるいはチルトコイルとともに弾性支持体の数を減らすだけで、特別な設計変更を行うことなく、チルト制御のない光ピックアップに仕様変更することも可能である。よって、本発明は、光ピックアップあるいは光ディスクドライブ装置の分野において有用な発明である。
【図面の簡単な説明】
【００３２】
【図１】本発明にかかる光ピックアップの実施例を示す分解斜視図である。
【図２】上記実施例を別の角度から見た分解斜視図である。
【図３】上記実施例の平面図である。
【図４】上記実施例の正面図である。
【図５】上記実施例におけるフォーカスコイルとトラッキングコイルの動作説明図であって、（ａ）は一側面側から見た図、（ｂ）は底面図、（ｃ）は他側面側から見た図である。
【図６】上記実施例におけるチルトコイルとトラッキングコイルの動作説明図であって、（ａ）は一側面側から見た図、（ｂ）は底面図、（ｃ）は他側面側から見た図である。
【図７】上記実施例を示す斜視図である。
【図８】従来の光ピックアップの例を示す分解斜視図である。
【図９】上記従来の光ピックアップの例を別の角度から見た分解斜視図である。
【符号の説明】
【００３３】
２１    レンズホルダ
２２    対物レンズ
２３ａ    フォーカスコイル
２３ｂ    フォーカスコイル
２４ａ    トラッキングコイル
２４ｂ    トラッキングコイル
２５ａ    チルトコイル
２５ｂ    チルトコイル
２７ａ〜２７ｆ    弾性支持体
２８    ベース
２９ａ    マグネット
２９ｂ    マグネット
【図１】
2006024277.tif 000003
【図２】
2006024277.tif 000004
【図３】
2006024277.tif 000005
【図４】
2006024277.tif 000006
【図５】
2006024277.tif 000007
【図６】
2006024277.tif 000008
【図７】
2006024277.tif 000009
【図８】
2006024277.tif 000010
【図９】
2006024277.tif 000011